(57)【要約】【課題】  表記内容を容易に変更可能なロゴ表示装置を提供する。【解決手段】  複数のロゴの画像データを記憶可能なメモリ１３と、メモリ１３に記憶された画像データを表示可能なロゴ表示手段２と、メモリ１３及びロゴ表示手段２を制御する制御手段１１を備えるロゴ表示装置。【選択図】        図１
2007163808.tif 000002
【特許請求の範囲】
【請求項１】
複数のロゴの画像データを記憶可能なメモリと、該メモリに記憶された画像データを表示するロゴ表示手段と、前記メモリ及び前記ロゴ表示手段を制御する制御手段と、を備えることを特徴とするロゴ表示装置。
【請求項２】
前記ロゴ表示手段に表示する画像データを切り替えるためのハードスイッチを備えることを特徴とする請求項１に記載のロゴ表示装置。
【請求項３】
外部からの指示により前記ロゴ表示手段に表示する画像データを切り替えるための外部アクセス手段を備えることを特徴とする請求項１に記載のロゴ表示装置。
【請求項４】
前記制御手段は、前記メモリに記憶されているロゴの画像データを追加・変更・削除する機能を有することを特徴とする請求項１に記載のロゴ表示装置。
【請求項５】
前記ロゴ表示手段は、液晶ディスプレイにより構成されることを特徴とする請求項１に記載のロゴ表示装置。
【請求項６】
前記ロゴ表示手段は、強誘電性液晶ディスプレイにより構成されることを特徴とする請求項１に記載のロゴ表示装置。
【請求項７】
前記液晶ディスプレイを駆動する駆動用内蔵電源を備えることを特徴とする請求項５に記載のロゴ表示装置。
【請求項８】
請求項１に記載のロゴ表示装置を備えることを特徴とする画像形成装置。
【発明の詳細な説明】
【技術分野】
【０００１】
本発明は、ロゴ表示装置及びそのロゴ表示装置を搭載した複写機やプリンタなどの画像形成装置に関する。
【背景技術】
【０００２】
各種機器において、昨今のユーザニーズの多様化に伴い、数多くの機種を提供していかなければならない状況になっている。例えば画像形成装置においては、印字速度、機能、オプション類、仕向地などを容易に識別できるように機種毎にロゴを変える必要がある。
その一方で、設計や製造の合理化から部品の共通化が図られている。その結果、スペックは異なるが、外観上の違いはロゴだけ、さらにはハード構成までもがロゴ以外は全て共通という機器が今後増えていくと予想される。従ってロゴはその機種を判別するのに非常に重要なファクターとなっている。
従来、ロゴの多くは、機器の前面カバーなどの見易いに部位に直接印刷や刻印するなどして、またはロゴが印刷あるいは刻印された例えばステッカーやプレートのような別部品を貼るなどして表示されていた。
なお、特許文献１には、使用説明書や設置手順書等を記憶させたＦＤ、ＣＤ−ＲＯＭ、ＭＤ、ＤＶＤ等のメディアと同サイズの商品・ブランドロゴ表示部を外部から視認可能な部位に設け、該商品・ブランドロゴ表示部を上記メディアの収納部としてなる画像形成装置が開示されている。
【特許文献１】特開２００２−１３１９９９公報
【発明の開示】
【発明が解決しようとする課題】
【０００３】
上述したように、各種機器において、ロゴを変更する頻度は高まる一方であり、従来印刷や刻印によるロゴの場合、その都度、型や版の変更が必要となり非常に多くの時間やコストがかかる。また旧部品の廃棄などの問題もある。
本発明は、表記内容を容易に変更可能なロゴ表示装置を提供することを目的とする。
【課題を解決するための手段】
【０００４】
上記目的を達成するために、請求項１記載の発明は、複数のロゴの画像データを記憶可能なメモリと、該メモリに記憶された画像データを表示するロゴ表示手段と、前記メモリ及び前記ロゴ表示手段を制御する制御手段と、を備えるロゴ表示装置を特徴とする。
請求項２記載の発明は、前記ロゴ表示手段に表示する画像データを切り替えるためのハードスイッチを備える請求項１に記載のロゴ表示装置を特徴とする。
請求項３記載の発明は、外部からの指示により前記ロゴ表示手段に表示する画像データを切り替えるための外部アクセス手段を備える請求項１に記載のロゴ表示装置を特徴とする。
請求項４記載の発明は、前記制御手段は、前記メモリに記憶されているロゴの画像データを追加・変更・削除する機能を有する請求項１に記載のロゴ表示装置を特徴とする。
請求項５記載の発明は、前記ロゴ表示手段は、液晶ディスプレイにより構成される請求項１に記載のロゴ表示装置を特徴とする。
請求項６記載の発明は、前記ロゴ表示手段は、強誘電性液晶ディスプレイにより構成される請求項１に記載のロゴ表示装置を特徴とする。
請求項７記載の発明は、前記液晶ディスプレイを駆動する駆動用内蔵電源を備える請求項５に記載のロゴ表示装置を特徴とする。
請求項８記載の発明は、請求項１に記載のロゴ表示装置を備える画像形成装置を特徴とする。
【発明の効果】
【０００５】
本発明のロゴ表示装置は複数のロゴの画像データを記憶可能なメモリと、メモリに記憶された画像データを表示可能なロゴ表示手段と、メモリ及びロゴ表示手段を制御する制御手段とを備えるので、同一ハードでロゴの表示内容を変更でき金型、版下、部品在庫、管理費、廃棄に係るコストの削減が可能となる。
【発明を実施するための最良の形態】
【０００６】
以下、本発明の実施形態を図面に従って説明する。
図１は本発明の実施形態に係るロゴ表示装置のブロック図、図２は本発明の実施形態に係るロゴ表示装置の積層構造を示す外観図である。
ロゴ表示装置は、筐体１、ロゴを表示するロゴ表示部(以下、表示部)２、表示制御を行う制御基板３とからなり、筐体１の表面にロゴを表示する表示部２を、筐体１の内部に制御基板３を備える。制御基板３上には、全体の制御を行うＣＰＵ１１を中心に、表示部２を駆動するドライバ１２、ロゴの画像データを格納するメモリ１３、外部アクセス手段１４、ハードスイッチ１５を備える。表示部２、制御基板３は内蔵電源４によってバックアップされる。
表示部２はＬＣＤ、液晶ディスプレイ、強誘電性液晶ディスプレイなどで構成される。外部からの電源供給が無い場合はでも内蔵電源４により、液晶ディスプレイの表示を保持することができる。また、強誘電性液晶ディスプレイを用いることにより電源の供給がなくても常時ロゴを表示することができる。
【０００７】
ＣＰＵ１１はメモリ１３のテーブル１３−１に予め格納されたロゴの画像データに基づいて、ドライバ１２を介して筐体表面の表示部２にロゴを表示するような処理を実行する。ここで、本発明におけるロゴ表示装置は、従来ロゴが印刷されたステッカーやロゴが刻印されたプレートの代替として使用されるのであるから、その筐体１は極力薄いものが望ましい。
メモリ１３のテーブル１３−１に格納された複数のロゴの画像データから任意のロゴを切り替えて表示部２に表示可能とすることで、一種類のロゴ表示装置を多機種の画像形成装置、あるいはその他の機器で共通使用することが可能である。表示するロゴの切り替え手段として、例えばディップスイッチのようなハードスイッチ１５がある。スイッチのオン、オフの設定によりハード的にＣＰＵ１１のポートをたたき、表示する画像を選択する。
外部アクセス手段１４は、ソフトウエアの設定やメモリ１３へのデータ書き替えを行うモジュールで、外部からソフトウエアの設定を変更することで、ハードスイッチ１５を操作したのと同様に表示するロゴを選択する。さらに外部アクセス手段１４、ハードスイッチ１５からＣＰＵ１１を介してメモリ１３に格納されたロゴの画像データの追加、変更、削除を行う。
図３は本発明の実施形態に係る画像形成装置の外観図である。装置本体２０の手前面(正面)に本発明のロゴ表示装置が貼り付けられている。
【図面の簡単な説明】
【０００８】
【図１】本発明の実施形態に係るロゴ表示装置のブロック図である。
【図２】本発明の実施形態に係るロゴ表示装置の積層構造を示す外観図である。
【図３】本発明の実施形態に係る画像形成装置の外観図である。
【符号の説明】
【０００９】
２  ロゴ表示部(ロゴ表示手段)、３  制御基板、４  内蔵電源、１１  ＣＰＵ(制御手段)、１３  メモリ、１４  外部アクセス手段、１５  ハードスイッチ
【図１】
2007163808.tif 000003
【図２】
2007163808.tif 000004
【図３】
2007163808.tif 000005